(57)【要約】      （修正有）【課題】薄型の筐体内で光ディスクを高速回転してもディスクに生じる振動を小さくできる光ディスクドライブ装置を提供する。【解決手段】光ディスクドライブ装置ＡＡは、ボトムケース１と、光ディスクＤを載置するディスク載置部３Ｂと開口部３Ａとを備えたディスクトレイ３と、ディスク載置部３Ｂと対向しボトムケース１と筐体を形成するトップカバー２を備え、トップカバー２は、ボトムケース１と平行な面から筐体の外方へ突出する突出部２Ａを更に備え、突出部２Ａは開口部３Ａと対向する位置に形成される。【選択図】図２
2011076665.tif 000002
【特許請求の範囲】
【請求項１】
ボトムケースと、
光ディスクを載置するディスク載置部と開口部とを備えたディスクトレイと、
前記ディスク載置部と対向し、前記ボトムケースとで筐体を形成するトップカバーとを備え、
前記トップカバーは更に、前記ボトムケースと平行な面から前記筐体の外方へ突出する突出部を備え、
前記突出部は前記開口部と対向する位置に形成されていることを特徴とする光ディスクドライブ装置。
【請求項２】
前記突出部は、前記開口部を前記ボトムケースの底面に投影して形成される投影面と前記開口部との間で形成される第１の空間の容積と略同じ容積を有することを特徴とする請求項１記載の光ディスクドライブ装置。
【請求項３】
前記突出部は、前記第１の空間と略同じ形状で形成されていることを特徴とする請求項２記載の光ディスクドライブ装置。
【発明の詳細な説明】
【技術分野】
【０００１】
本発明は、薄型の筐体内で光ディスクを高速回転しても、回転中の光ディスクに振動を生じることなく、低騒音化を達成できる光ディスクドライブ装置に関するものである。
【背景技術】
【０００２】
光ディスク装置内で回転中の光ディスクの回転数が１００Ｈｚ（＝３６００ｒｐｍ）を超えると、光ディスクのレーベル面、情報面にそれぞれ印加される空気圧がアンバランスとなり、光ディスクに振動が発生する。この結果、光ディスクの情報面に対するデータの書き込み、読み出しが良好に行えなくなったり、あるいは、この振動が大きい場合には、装置内の各部に光ディスクが衝突などして光ディスクが破損する恐れがあった。
【０００３】
このため、ディスクトレイに設けられている光ピックアップ走査用の開口部の他に、光ディスクの回転中心から半径の７５％以上離れた位置に、孔、突起、窪みを設けることにより、前記した空気圧のアンバランスを補償して、光ディスクの振動を低減した光ディスク装置がある（特許文献１）。
【先行技術文献】
【特許文献】
【０００４】
【特許文献１】特開２０００−２８５５５５号公報
【発明の概要】
【発明が解決しようとする課題】
【０００５】
光ディスクに対するデータの書き込み、読み出しに要する処理時間を短縮化するため、前述した如くの光ディスクの回転数（３６００ｒｐｍ）を大きく超える回転数で、光ディスクを高倍速回転することが行われている。一例として、ＤＶＤ(Digital Versatile Disc)を２４倍速で回転するときの回転数は、約１４０００ｒｐｍであり、前述した光ディスクの回転数（３６００ｒｐｍ）の約４倍である。
【０００６】
光ディスク装置内でこのような高速回転（約１４０００ｒｐｍ）を行なうと、光ディスクのレーベル面、情報面にそれぞれ印加される空気圧は、一層アンバランスな状態となる。この結果、光ディスクにはさらに大きな振動が発生することになり、大きなうなり音が生じる。この振動がさらに大きくなると、安定なデータの書き込みや読み出しができなくなったり、光ディスクが装置内の各部に衝突などして破損し易い恐れがあった。このうなり音を低減ないしは解消するための手法として、前述した振動の低減手法があるが、このうなり音を低減ないしは解消することができなかった。
【０００７】
発明者の実験によると、光ディスクの回転数が約１００００ｒｐｍを超えるあたりから、うなり音が生じ、回転数が１４０００ｒｐｍに近づくに従い、次第にうなり音が大きくなることが分かった。
【０００８】
そこで、本発明は、こうした課題を解消するために創案されたものであり、薄型の筐体内で光ディスクを高速回転しても、回転中の光ディスクに生じる振動を小さくできる光ディスクドライブ装置を提供することを目的とする。
【課題を解決するための手段】
【０００９】
上記目的を達成するために、本発明は、次の（１）〜（３）の構成を有する光ディスクドライブ装置を提供する。
【００１０】
（１）  ボトムケース（１）と、
光ディスク（Ｄ）を載置するディスク載置部（３Ｂ）と開口部（３Ａ）とを備えたディスクトレイ（３）と、
前記ディスク載置部（３Ｂ）と対向し、前記ボトムケース（１）とで筐体を形成するトップカバー（２）とを備え、
前記トップカバー（２）は更に、前記ボトムケース（１）と平行な面から前記筐体の外方へ突出する突出部（２Ａ）を備え、
前記突出部（２Ａ）は前記開口部（３Ａ）と対向する位置に形成されていることを特徴とする光ディスクドライブ装置。
【００１１】
（２）  前記突出部は、前記開口部を前記ボトムケースの底面に投影して形成される投影面と前記開口部との間で形成される第１の空間の容積と略同じ容積を有することを特徴とする前記（１）記載の光ディスクドライブ装置。
【００１２】
（３）  前記突出部は、前記第１の空間と略同じ形状で形成されていることを特徴とする前記（２）記載の光ディスクドライブ装置。
【発明の効果】
【００１３】
本発明は、薄型の筐体内で光ディスクを高速回転しても、回転中の光ディスクに生じる振動を小さくできる光ディスクドライブ装置を提供することができる。
【図面の簡単な説明】
【００１４】
【図１】本発明装置の実施の形態を説明するための斜視図
【図２】本発明装置の構造を説明するための分解図
【図３】光ディスクの回転方向に伴い発生する気流の方向を説明するための図
【図４】本発明装置(図１)を、線Ｘ’−Ｘ’で切断したときの断面構造を示す図
【図５】本発明装置(図１)を、線Ｙ’−Ｙ’で切断したときの断面構造を示す図
【図６】本発明装置(図１)を、線Ｚ’−Ｚ’で切断したときの断面構造を示す図
【発明を実施するための形態】
【００１５】
以下、本発明の実施の形態を、図１〜図６を用いて、説明する。
【００１６】
本発明の実施の形態である光ディスクドライブ装置ＡＡは、図１に示すように、ボトムケース１及びトップカバー２を備えている。
【００１７】
ボトムケース１は、蓋なしの薄型収納ケースであり、開放されているその上方はトップカバー２で閉蓋される。ボトムケース１はトップカバー２と組み合わせて薄型の筐体を形成する。ボトムケース１の前面には、光ディスクＤをこの筐体内に装填あるいは筐体外へ排出する（ｂｂ方向）ための、カバー付開口部１Ａが設けられている。
【００１８】
トップカバー２は、ボトムケース１の上方を閉蓋するためのカバーであり、トップカバー２はボトムケース１と平行な上面から筐体の外方に向かって突出する突出部２Ａを備えている。
【００１９】
突出部２Ａにより形成される空間Ａと後述する空間Ｂは略同一容積の空間である。空間Ａ，Ｂは、対向している。
【００２０】
光ディスクドライブ装置ＡＡの構造は、図２に示す通りである。
【００２１】
ボトムケース１は、ディスクトレイ３、光ピックアップ４、モータ５、クランパ６、ターンテーブル（図示せず）を全て収納する蓋なしの薄型収納ケースである。図２中、ｈｒは、光ディスクＤの中心から情報面Ｄｒの最内周までの半径を示している。ボトムケース１内の長手方向の両側面には、開口部１Ａに対しディスクトレイ３の進退動作を円滑に行なうための、一対の案内レール（図示せず）が設けられている。ボトムケース１内には、光ピックアップ４を光ディスクＤの半径方向へ移送するための移送機構（図示せず）が設けられている。また、この移送機構はディスクトレイ３の開口部３Ａに対応した位置に設けられている（図示の都合上、光ピックアップ４はボトムケース１の底面に固定されているように示してある）。
【００２２】
トップカバー２の一部である突出部２Ａは、筐体の外方へ台形状に高さｈで突出しており、所定の容積（空間Ａ）を有している。突出部２Ａの上面は平坦でトップカバー２の面に対して平行である。突出部２Ａは、高速回転（回転数の上限が１００００ｒｐｍ〜１４０００ｒｐｍ）中の光ディスクＤを介して、ディスクトレイ３の開口部３Ａと対称な位置に設けられている（図１）。突出部２Ａのトップカバー２に対して平行となる平面形状は、筐体に収納されている状態のディスクトレイ３の後述する開口部３Ａの平面形状と同一である。突出部２Ａの高さｈは、筐体を薄型とするために、できるだけ低いことが望ましい。突出部２Ａの下方は、ボトムケース１の底面側へ開放されている。
【００２３】
突出部２Ａが形成する空間Ａの下方には、ターンテーブルとクランパ６とにより回転自在に挟持されている状態で、高速回転中の光ディスクＤの情報面Ｄｒと開口部３Ａとによりなる、後述する空間Ｂが存在する。
【００２４】
ディスクトレイ３は、ボトムケース１とトップカバー２との間に位置しており、開口部３Ａと光ディスクＤを載置するディスク載置部３Ｂとを有している。ディスクトレイ３は、筐体内に収納されている場合、一対の案内レールの案内で、開口部１Ａを経由して、筐体外へ排出され、一方、筐体外にある場合には、この案内レールの案内で、開口部１Ａを経由して、筐体内へ収納される（ｂｂ方向）。
【００２５】
開口部３Ａは、ボトムケース１内の所定の待機位置にある光ピックアップ４が、回転中の光ディスクＤの情報面Ｄｒの所望の半径位置まで移動する移動エリアを包含する開口であり、光ピックアップ４が進退自在に移動するための開口である。
【００２６】
この開口部３Ａと光ディスクＤの情報面Ｄｒとよりなる空間が、空間Ｂである。空間Ｂは、光ディスクＤがターンテーブルとクランパ６とにより回転自在に挟持されているときに、所定の間隙をもって開口部３Ａの上方に位置する光ディスクＤの情報面Ｄｒと、開口部３Ａの下方に位置する光ピックアップ４とにより、おおよそ囲まれる空間である。
【００２７】
換言すれば、突出部２Ａが形成する空間Ａは、開口部３Ａをボトムケース１の底面に投影して形成される投影面と開口部３Ａとの間で形成される空間Ｂ（第１の空間）の容積と、略同じ容積を有しており、また、突出部２Ａは第１の空間と略同じ形状で形成されている。なお本実施形態では、突出部２Ａの上面を平坦とし突出部２Ａを台形形状としたが、突出部２Ａの容積が空間Ｂの容積と略同じであればよく、形状は限定されない。
【００２８】
光ピックアップ４は、高速回転中の光ディスクＤに対する情報の書き込み読み出しを行う。
【００２９】
モータ５は、その回転中心がターンテーブルの回転中心（図示せず）と連結されており、ターンテーブルとクランパ６とで回転自在に挟持してある光ディスクＤを所要の回転数で高速回転させる。図２に示すように、モータ５の回転軸中心の延長線（回転中心Ｃ）上には、ターンテーブルの回転中心、ディスク載置部３Ｂの中心、光ディスクＤの回転中心、クランパ６の中心がそれぞれ位置している。
【００３０】
次に、ディスクトレイ３に形成された開口部３Ａによってディスクトレイ３の光ディスクＤに対向する面が一様でなく、ディスクトレイ３の位置によって光ディスクＤの情報面Ｄｒに印加される空気圧が異なる点に着目した。高速回転中の光ディスクＤに振動を生じることなく、うなり音を発生しないための構造について、説明する。
【００３１】
光ディスクＤは、所定の間隙をもって、トップカバー２とディスクトレイ３（開口部３Ａ又はディスク載置部３Ｂ）とにより、その上下方向が限定される空間内において、図３に示すように、回転方向ｒ１へ高速回転する。
【００３２】
回転方向ｒ１へ高速回転中の光ディスクＤをレーベル面Ｄｌ側（トップカバー２側）から見ると、トップカバー２とレーベル面Ｄｌとの間の流路に流れる空気は、気流ａ１として、レーベル面Ｄｌの回転に追従して回転する。一方、回転方向ｒ１へ高速回転中の光ディスクＤをレーベル面Ｄｌの裏側の情報面Ｄｒ側（ディスクトレイ３側）から見ると、ディスクトレイ３と情報面Ｄｒとの間の流路に流れる空気は、気流ａ２として、情報面Ｄｒの回転に追従して回転する。光ディスクＤを一方の面から見たときの気流ａ１，ａ２の回転方向は同一で、気流ａ１，ａ２の回転速度も同一である。
【００３３】
一般に、流体の流路における流量をＬ、比重量をγ、重力加速度をｇとし、流路上の点ｘとｙでの断面積ＳｘとＳｙ、圧力をＰｘとＰｙ、流路上の点ｘとｙとの基準面からの高低差はなく、空気が理想に近い流体と考えれば、ベルヌーイの定理により次の関係が成り立つ。
【００３４】
{(Ｌ/Ｓｘ)^２}/ｇ＋Ｐｘ/γ
＝{(Ｌ/Ｓｙ)＾２}/ｇ＋Ｐｙ/γ
＝Ｃ（一定）
従って、流体の流路における流量Ｌ、比重量γ、重力加速度ｇが一定とすると、
流路上の任意の点における圧力Ｐは
Ｐ＝−（Ｌ＾２）／{（２ｇ）ｘ（Ｓ＾２）}＋Ｃ      …  （式１）
となり、流量がゼロのときの圧力Ｃに対し、流路の断面積Ｓの自乗に反比例した圧力を減圧した値となる。
【００３５】
このことから、光ディスクＤが高速回転することにより発生する、気流ａ１，ａ２の流路が同一の条件であれば、レーベル面Ｄｌ及び情報面Ｄｒに対する空気圧が等しくなるため、高速回転中の光ディスクＤには振動が生じないものとなる。
【００３６】
前述した説明においては、トップカバー２とディスクトレイ３とはそれぞれ平面とし、気流ａ１、ａ２の流路の条件が同一と仮定したが、本発明の光ディスクドライブ装置ＡＡでは、トップカバー２に突出部２Ａを有しディスクトレイ３に開口部３Ａを備えるため、気流の流路に対するそれぞれの影響が考えられる。ボトムケース１の開口部１Ａからディスクトレイ３の開口部３Ａに向かって、下記する（１）〜（３）の断面構造のように、トップカバー２及びディスクトレイ３の断面形状が異なる。特に光ディスクドライブ装置ＡＡを正面（開口部１Ａ側）から見て左右に分割するＷ−Ｗ’面と、各断面とが交差する断面中央付近の光ディスクＤの各面に作用する気圧が変化する。
【００３７】
次に、光ディスクドライブ装置ＡＡを正面から見て左右に分割するＷ−Ｗ’面と、各断面とが交差する断面中央付近の光ディスクＤの各面に作用する気圧の変化について、図４〜図６を用いて説明する。
【００３８】
図１に示した、光ディスクドライブ装置ＡＡを線Ｘ−Ｘ’で縦断したときの断面形状を図４に示す。同様に、線Ｙ−Ｙ’、線Ｚ−Ｚ’でそれぞれ縦断した断面形状を、図５、図６に示す。
【００３９】
また、図１に示した光ディスクドライブ装置ＡＡの線Ｘ−Ｘ’、線Ｙ−Ｙ’、線Ｚ−Ｚ’にそれぞれ対応するトップカバー２上の位置は、図２に示した線ｘ’−ｘ’、線ｙ’−ｙ’、線ｚ’−ｚ’であり、同様に、トップカバー２上の線ｘ’−ｘ’、線ｙ’−ｙ’、線ｚ’−ｚ’にそれぞれ対応するディスクトレイ３上の位置は、図２に示した、線ｘ１’−ｘ１’、線ｙ１’−ｙ１’、線ｚ１’−ｚ１’である。
【００４０】
以下、図４〜図６に示す各断面構造について、次の順に説明する。
【００４１】
（１）線Ｘ−Ｘ’で縦断したときの断面構造（図４）
（２）線Ｙ−Ｙ’で縦断したときの断面構造（図５）
（３）線Ｚ−Ｚ’で縦断したときの断面構造（図６）
（１）線Ｘ−Ｘ’で縦断したときの断面構造（図４）
この断面構造は、トップカバー２を横断する線ｘ’−ｘ’と、ディスクトレイ３のディスク載置部３Ｂを横断する線ｘ１’−ｘ１’（いずれも図２）とを通る断面構造で、トップカバー２及びディスクトレイ３は、光ディスクＤからそれぞれ等しい距離にある。Ｘ−Ｘ’断面位置では、光ディスクＤに対向するトップカバー２の面は平面であり、同様にディスクトレイ３の面も略平面である。従って、光ディスクＤのレーベル面Ｄｌとトップカバー２との間に形成される気流の流路ｌ１の断面積ｄ１と、光ディスクＤの情報面Ｄｒとディスク載置部３Ｂとの間形成される気流の流路ｌ２の断面積ｄ２とは同じである。
【００４２】
上述したように、高速回転中の光ディスクＤのレーベル面Ｄｌとトップカバー２との間には、気流ａ１が発生し、また、光ディスクＤの情報面Ｄｒとディスク載置部３Ｂとの間には、気流ａ２が発生する。Ｘ−Ｘ’面とＷ−Ｗ’面とが交差するこの断面中央付近は光ディスクＤの回転半径が大きい位置であるため、気流ａ１、ａ２の流速は高速である。
【００４３】
この結果、高速回転中の光ディスクＤのレーベル面Ｄｌに印加される気流ａ１による圧力Ｐ１と、この光ディスクＤの情報面Ｄｒに印加される気流ａ２による圧力Ｐ２とは、印加される方向は逆であっても、その大きさは略同一であり、圧力差（|Ｐ１−Ｐ２|）は、略一定でほぼゼロである。従って、図４に示す位置の場合、高速回転中の光ディスクＤには、振動が生じない。
【００４４】
（２）線Ｙ−Ｙ’で縦断したときの断面構造（図５）
この断面構造は、トップカバー２を横断する線ｙ’−ｙ’と、ディスクトレイ３のディスク載置部３Ｂと開口部３Ａとを横断する線ｙ１’−ｙ１’（いずれも図２）とを通る断面構造である。Ｙ−Ｙ’断面位置では、光ディスクＤに対向するトップカバー２の面は平面であるのに対して、ディスクトレイ３の面は開口部３Ａの有無により段差がある面となる。上述したように光ディスクＤのレーベル面Ｄｌ側の気流の流路ｌ１の断面積ｄ１と、光ディスクＤの情報面Ｄｒ側の気流の流路ｌ２の断面積ｄ２とは同じである。更に、光ディスクＤの情報面Ｄｒと開口部３Ａとが対向する部分での気流の流路の断面積をｄ３とする。断面積ｄ３は、開口部３Ａ上の光ディスクＤの情報面Ｄｒから開口部３Ａのディスクトレイ３の底面と等しい面（開口部３Ａの底面）までの高さ（距離）を用いて求める。
【００４５】
高速回転中の光ディスクＤのレーベル面Ｄｌとトップカバー２との間には、図４の場合と同様の断面積ｄ１の流路ｌ１に流れる気流ａ１が発生する。一方光ディスクＤの情報面Ｄｒとディスク載置部３Ｂとの間には、図４の場合と同様の断面積ｄ２の流路ｌ２に流れる気流ａ２が発生するが、開口部３Ａ上に位置する光ディスクＤの情報面Ｄｒの下方には、新たな気流ａ３が発生する。気流ａ３は、断面積ｄ３の流路ｌ３を流れる。各断面積ｄ１、ｄ２、ｄ３の関係は、ｄ１＝ｄ２＜ｄ３である。
【００４６】
この結果、光ディスクＤのレーベル面Ｄｌに印加される気流ａ１の圧力Ｐ１と、この光ディスクＤの情報面Ｄｒに印加される気流ａ２の圧力Ｐ２とは、図４の場合と同じであるが、光ディスクＤの情報面Ｄｒに印加される気流ａ３の圧力Ｐ３は、圧力Ｐ１に対して大となるから、光ディスクＤの両面にかかる圧力に差が生じ（|Ｐ１＝Ｐ２＜Ｐ３|）、この圧力差は、一定とはならない。そのため光ディスクＤの回転において振動が生じる。
【００４７】
しかしながら図５に示すＹ−Ｙ’断面位置の場合、光ディスクＤの回転半径が図４に示す位置の場合と比較して小さいため、各気流ａ１、ａ２、ａ３の流速が比較的遅く、圧力Ｐ１、Ｐ２、Ｐ３の差も小さい。そのため振動が生じるが、小さい振動のためうなり音が生じるほどではない。
【００４８】
（３）線Ｚ−Ｚ’で縦断したときの断面構造（図６）
この断面構造は、トップカバー２を横断する線ｚ’−ｚ’と、ディスクトレイ３のディスク載置部３Ｂと開口部３Ａとを横断する線ｚ１’−ｚ１’（いずれも図２）により形成される断面構造である。Ｚ−Ｚ’面とＷ−Ｗ’面とが交差する断面中央付近では、突出部２Ａのトップカバー２と平行な面（上面）が光ディスクＤに対向し、ディスクトレイ３に設けられた開口部３Ａが光ディスクＤに対向する。突出部２Ａは、トップカバー２の開口部３Ａと対応した位置に形成される。
【００４９】
前述したように、ディスクトレイ３が備える開口部３Ａをボトムケース１の底面に投影して形成される投影面と、開口部３Ａとの間で形成される仮想空間を空間Ｂとする。空間Ｂの上面には、所定の間隙をもって開口部３Ａの上方に位置する光ディスクＤの情報面Ｄｒが対向し、開口部３Ａの下方に位置する光ピックアップ４が空間Ｂ内に位置する。
【００５０】
図６で示す断面においては、空間Ｂに対する光ピックアップ４の占める割合が大きく図示されているが、空間Ｂ全体の体積に対する光ピックアップ４の体積は非常に小さいため、ここでは空間Ｂに対する光ピックアップ４の影響は小さいとし、特に考慮しないものとする。そして、この空間Ｂの容積と略同一の容積の空間（空間Ａ）を有するよう、トップカバー２に突出部２Ａを形成した。従って、光ディスクＤのレーベル面Ｄｌ上方の空間Ａに流れる気流の流路ｌ４の断面積ｄ４と、光ディスクＤの情報面Ｄｒ下方の空間Ｂに流れる気流の流路ｌ５の断面積ｄ５とは同じである。断面積ｄ４は、レーベル面Ｄｌからトップカバー２までの高さ（断面積ｄ１と同じ）に空間Ａの高さｈを加えた高さで求め、断面積ｄ５は、情報面Ｄｒからディスクトレイ３までの高さ（断面積ｄ２と同じ）に空間Ｂの高さｈを加えた高さで求める。高さｈは、開口部３Ａのディスクトレイ３の上面（情報面Ｄｒと対向する面）と等しい面（開口部３Ａの上面）からボトムケース１の底面までの高さのうち、所定の高さとする。
【００５１】
これにより、光ディスクＤのレーベル面Ｄｌとトップカバー２の突出部２Ａとの間には、新たな気流ａ４が発生し、また、光ディスクＤの情報面Ｄｒとディスクトレイ３の開口部３Ａとの間には、新たな気流ａ５が発生する。
【００５２】
断面中央付近は、光ディスクＤの回転半径が大きいため、気流ａ４及びａ５の流速は高速である。前述したように、突出部２Ａが成す空間Ａと空間Ｂとは略同一の容積となるように、空間の高さｈを設定すればよい。そのため、断面積ｄ４である流路ｌ４に発生する気流ａ４による圧力Ｐ４と、断面積ｄ５である流路ｌ５に発生する気流ａ５による圧力Ｐ５とは、光ディスクＤに対して印加する方向は逆であるが、その大きさは略同一であり、圧力差（|Ｐ４−Ｐ５|）も略一定でほぼゼロである。
【００５３】
従って、図６に示す位置の場合、高速回転中の光ディスクＤには、振動がほとんど生じないから、うなり音は生じない。
【００５４】
上述したように、本発明によれば、トップカバー２の突出部２Ａの容積が、開口部３Ａをボトムケース３の底面に投影して形成される投影面と開口部３Ａとの間で形成される空間Ｂの容積と略同じ容積を有するよう突出部２Ａを形成したため、高速回転中の光ディスクＤのレーベル面Ｄｌに印加される空気圧Ｐ４と、光ディスクＤの情報面Ｄｒに印加される空気圧Ｐ５とが略等しくなる。従って開口部３Ａによって発生する空気圧Ｐ５により光ディスクＤに生じる振動を補償しこれを解消することができ、この結果、高速回転中の光ディスクＤの低振動、低騒音化を達成することができる。
【符号の説明】
【００５５】
１  ボトムケース
２  トップカバー
２Ａ  突出部
３  ディスクトレイ
３Ａ  開口部
３Ｂ  ディスク載置部
４  光ピックアップ
Ａ，Ｂ  空間
ＡＡ  光ディスクドライブ装置
Ｄ  光ディスク
Ｄｌ  レーベル面
Ｄｒ  情報面
Ｐ１〜Ｐ５  空気圧
【図１】
2011076665.tif 000003
【図２】
2011076665.tif 000004
【図３】
2011076665.tif 000005
【図４】
2011076665.tif 000006
【図５】
2011076665.tif 000007
【図６】
2011076665.tif 000008